(57)【特許請求の範囲】
【請求項１】
偏平の箱型の筐体と、
前記筐体の正面に取り付けられた、ディスプレイ、少なくとも１つの第１のボタン、及び、少なくとも１つの第２のボタンと、
前記筐体の背面に取り付けられた、前記背面に対して垂直な光軸を有するカメラと、
前記筐体の背面に取り付けられた、前記筐体の上面に垂直な上向きの光線を照射するコードリーダと、
を含み、
前記ディスプレイの形状は、上端及び下端の辺が左端及び右端の辺よりも長い長方形であり、
前記カメラの位置は、前記正面の上端と前記ディスプレイの上端との間の領域である上方領域に対向する前記背面の領域内であり、
前記正面の下端と前記ディスプレイの下端との間の領域である下方領域の上下方向の幅は、前記正面の左端と前記ディスプレイの左端との間の領域である左方領域の左右方向の幅、及び、前記正面の右端と前記ディスプレイの右端との間の領域である右方領域の左右方向の幅の何れよりも広く、
前記第１のボタンの位置は、前記下方領域内であり、
前記第２のボタンの位置は、前記左方領域又は前記右方領域における、前記正面の中心点を通り前記正面の上端又は下端の辺と並行な中心線と前記ディスプレイの上端の辺を延長した線との間の領域内であり、
前記第２のボタンに対して、前記コードリーダを操作するための機能が割り当てられる、
無線通信端末。
【請求項２】
前記筐体の上面、左側面及び右側面にボタンが存在しない、
請求項１に記載の無線通信端末。
【請求項３】
前記第１のボタンのうちの１つは、電源ボタンである、
請求項１又は２に記載の無線通信端末。
【請求項４】
前記筐体の内部に形成された、バッテリーを収容するためのバッテリー収容空間をさらに含み、
前記バッテリー収容空間の位置は、前記背面の下端と前記中心線との間の領域内であり、
前記バッテリー収容空間の中心点は、前記正面の中心点を含みかつ左右方向に広がる幅２ｃｍの帯状領域内である、
請求項１から３の何れか１項に記載の無線通信端末。
【請求項５】
前記第２のボタンは、前記左方領域及び前記右方領域の両方に取り付けられ、
前記左方領域の前記第２のボタン及び前記右方領域の前記第２のボタンに対して、共通の機能が割り当てられる、
請求項１から４の何れか１項に記載の無線通信端末。
【請求項６】
前記筐体の左側面に取り付けられた端子口をさらに含み、前記筐体の底面から前記左方領域の第２のボタンの下端までの距離は、前記筐体の底面から前記左側面の端子口の下端までの距離に対して等しい又は短い、あるいは、
前記筐体の右側面に取り付けられた端子口をさらに含み、前記筐体の底面から前記右方
領域の第２のボタンの下端までの距離は、前記筐体の底面から前記右側面の端子口の下端までの距離に対して等しい又は短い、
請求項１から５の何れか１項に記載の無線通信端末。 
【発明の詳細な説明】
【技術分野】
【０００１】
本開示は、無線通信端末に関する。
【背景技術】
【０００２】
特許文献１には、偏平な箱型のＡ４サイズの筐体と、筐体の背面に取り付けられたバッテリーと、筐体の正面に取り付けられたタッチパネルとを備えた、携帯型の端末が開示されている。
【先行技術文献】
【特許文献】
【０００３】
【特許文献１】特開平１０−２４０４２０号公報
【発明の概要】
【発明が解決しようとする課題】
【０００４】
特許文献１に開示されるような比較的大きな携帯型の端末は、サイズも重量も大きいため、両手で把持して使用されることがある。しかし、特許文献１では、端末を両手で把持した場合の操作が考慮されていない。
【０００５】
本開示は、両手で把持した場合の操作性を向上させた無線通信端末の提供を目的とする。
【課題を解決するための手段】
【０００６】
本開示の一態様に係る無線通信端末は、偏平の箱型の筐体と、前記筐体の正面に取り付けられた、ディスプレイ、少なくとも１つの第１のボタン、及び、少なくとも１つの第２のボタンと、前記筐体の背面に取り付けられた、前記背面に対して垂直な光軸を有するカメラと、前記筐体の背面に取り付けられた、前記筐体の上面に垂直な上向きの光線を照射するコードリーダと、を含み、前記ディスプレイの形状は、上端及び下端の辺が左端及び右端の辺よりも長い長方形であり、前記カメラの位置は、前記正面の上端と前記ディスプレイの上端との間の領域である上方領域に対向する前記背面の領域内であり、前記正面の下端と前記ディスプレイの下端との間の領域である下方領域の上下方向の幅は、前記正面の左端と前記ディスプレイの左端との間の領域である左方領域の左右方向の幅、及び、前記正面の右端と前記ディスプレイの右端との間の領域である右方領域の左右方向の幅の何れよりも広く、前記第１のボタンの位置は、前記下方領域内であり、前記第２のボタンの位置は、前記左方領域又は前記右方領域における、前記正面の中心点を通り前記正面の上端又は下端の辺と並行な中心線と前記ディスプレイの上端の辺を延長した線との間の領域内であり、前記第２のボタンに対して、前記コードリーダを操作するための機能が割り当てられる。
【発明の効果】
【０００７】
本開示によれば、両手で把持した場合の操作性を向上させた無線通信端末を提供できる。
【図面の簡単な説明】
【０００８】
【図１】一実施の形態に係る無線通信端末の外観例を示す斜視図
【図２】一実施の形態に係る無線通信端末の外観例を示す正面図
【図３】一実施の形態に係る無線通信端末の外観例を示す背面図
【図４】一実施の形態に係る無線通信端末の外観例を示す左側面図
【図５】一実施の形態に係る無線通信端末の外観例を示す右側面図
【図６】一実施の形態に係る無線通信端末の外観例を示す平面図
【図７】一実施の形態に係る無線通信端末の外観例を示す底面図
【図８】一実施の形態に係る無線通信端末にバーコードリーダを装着した場合の例を示す斜視図
【発明を実施するための形態】
【０００９】
以下、図面を適宜参照して、本開示の実施の形態について、詳細に説明する。ただし、必要以上に詳細な説明は省略する場合がある。例えば、すでによく知られた事項の詳細説明及び実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の記載の主題を限定することは意図されていない。
【００１０】
（本開示に至る経緯）
画面が７インチ以上の無線通信端末のバッテリーは、携帯電話のような小型の無線通信端末のバッテリーと比較して、サイズも重量も大きい。無線通信端末の重量バランスの安定性を鑑みると、このようなバッテリーは、筐体の底面に近くかつ両側面から均等に離れた位置に取り付けられることが望ましい。
【００１１】
例えば、ゲーム機のような横に細長い形状の筐体の上述した位置にバッテリーを取り付けた場合、バッテリーの上端と筐体の上面との間の領域が狭く、バッテリーの左端と筐体の左側面との間の領域、及び、バッテリーの右端と筐体の右側面との間の領域が広くなってしまう。よって、筐体内の基板及び部品をできるだけ１つの領域にまとめて配置することが難しくなってしまう。
【００１２】
一方で、横に細長い形状の筐体内において、基板及び部品をできるだけ１つの領域にまとめるために、バッテリーを何れかの一方の側面に寄せて取り付けた場合、無線通信端末の重量バランスが悪くなってしまう。この場合、無線通信端末の持ち運び及び把持しながらの操作が難しくなってしまう。
【００１３】
したがって、画面が７インチ以上の無線通信端末は、画面の縦横の比率に比べて、無線通信端末の筐体のディスプレイを取り付けた面（つまり正面）の比率を、より正方形に近い形状にした方が、重量バランスが安定し、持ち運びし易くなる。
【００１４】
また、無線通信端末を把持したまま操作を行う場合におけるユーザの腕の負担を軽減するためには、ボタンを操作するときの手の動きをできるだけ小さくすることが望ましい。
【００１５】
また、無線通信端末を両手で把持しながらのボタン操作を可能とすることによって、ユーザは、無線通信端末を安定して把持するための把持用バンドを筐体に取り付けることなく、重量バランスの安定性を維持したまま、無線通信端末を操作できる。
【００１６】
また、無線通信端末では、無線信号を送受信するためのアンテナが、筐体の内部の上面付近、側面付近及び／又は底面付近に取り付けられ、ケーブルが接続される端子口が筐体の側面に取り付けられるため、側面、上面及び／又は底面にボタンを取り付けることは難しい。
【００１７】
上述を鑑みて、以下では、両手で把持しながら容易に操作できる位置にボタンを取り付けることにより、両手で把持した場合の操作性を向上させた無線通信端末について説明する。
【００１８】
（一実施の形態）
図１から図７は、一実施の形態に係る無線通信端末の外観の例を示す図であり、図１が斜視図、図２が正面図、図３が背面図、図４が左側面図、図５が右側面図、図６が平面図、図７が底面図である。
【００１９】
なお、本開示の説明では、図中における、Ｘ軸の正方向を右、Ｘ軸の負方向を左、Ｙ軸の正方向を上、Ｙ軸の負方向を下、Ｚ軸の正方向を手前、Ｚ軸の負方向を奥と表現する場合がある。
【００２０】
無線通信端末１は、電子機器の一例であり、例えば、スマートフォン、携帯電話、タブレット、デジタルカメラ、携帯型パーソナルコンピュータ、無線機である。本実施の形態では、耐衝撃、耐振動、防滴、防塵等の性能を備え、一般的な端末と比べて重量の大きいタブレット型の無線通信端末１について説明する。無線通信端末１は、工場、工事現場、公共安全業務、輸送業務といった、電子機器にとって厳しい環境での使用が可能である。無線通信端末１は、業務用に限らず、個人用であってもよい。
【００２１】
＜筐体＞
図１から図７に示すように、無線通信端末１の筐体１０は、偏平の箱型であり、筐体１０の手前の面である正面１１、筐体１０の奥の面である背面１２、筐体１０の左側の面である左側面１３、筐体１０の右側の面である右側面１４、筐体１０の上側の面である上面１５、及び、筐体１０の下側の面である底面１６を有する。
【００２２】
正面１１の形状は、図２に示すように、上端及び下端の辺が左端及び右端の辺よりも長く、角を丸めた横長の長方形である。なお、正面１１の形状は、長方形に限らず、角を丸めた正方形であってもよい。
【００２３】
正面１１の中央には、入力及び表示を兼用するタッチパネル１７が取り付けられる。例えば、タッチパネル１７は、液晶パネル又は有機ＥＬ（Electro Luminescence）パネルといった表示装置と、タッチパッドといった位置入力装置との組み合わせによって構成される。なお、タッチパネル１７を構成する表示装置は、画面、ディスプレイ、モニタといった他の用語に読み替えられてもよい。
【００２４】
タッチパネル１７の形状は、図２に示すように、上端及び下端の辺が左端及び右端の辺よりも長い横長の長方形である。例えば、タッチパネル１７の横と縦の比は、１６対１０である。タッチパネル１７は、当該タッチパネル１７の上端又は下端の辺が正面１１の上端又は下端の辺に対して平行に取り付けられる。タッチパネル１７の対角線の長さは、７インチ以上であり、例えば、７インチ又は１０．１インチである。
【００２５】
背面１２の形状は、図３に示すように、正面１１の形状と同様、上端及び下端の辺が左端及び右端の辺よりも長く、角を丸めた横長の長方形である。なお、正面１１の形状が、角を丸めた正方形である場合、背面１２の形状も、角を丸めた正方形であってよい。
【００２６】
左側面１３の形状は、図４に示すように、正面１１の左端の辺及び背面１２の左端の辺を長辺とし、角を丸めた縦長の長方形である。右側面１４の形状は、図５に示すように、正面１１の右端の辺及び背面１２の右端の辺を長辺とし、角を丸めた縦長の長方形である。
【００２７】
上面１５の形状は、図６に示すように、正面１１の上端の辺及び背面１２の上端の辺を長辺とし、角を丸めた横長の長方形である。底面１６の形状は、図７に示すように、正面１１の下端の辺及び背面１２の下端の辺を長辺とし、角を丸めた横長の長方形である。
【００２８】
本開示の説明では、図２に示すように、正面１１の下端とタッチパネル１７の下端との間の領域を下方領域１０１と称する。正面１１の上端とタッチパネル１７の上端との間の領域を上方領域１０２と称する。正面１１の左端とタッチパネル１７の左端との間の領域を左方領域１０３と称する。正面１１の右端とタッチパネル１７の右端との間の領域を右方領域１０４と称する。
【００２９】
正面１１の中心点１０６を通り、正面１１の上端及び下端の辺と平行な想像上の線を、中心線１０５と称する。正面１１の中心点１０６を含み、かつ、左右方向（Ｘ方向）に幅２ｃｍであって、上下方向（Ｙ方向）に延びる帯状の想像上の領域を、帯状領域１０７と称する。なお、帯状領域１０７の幅は、２ｃｍよりも大きくてもよいし、小さくてもよい。
【００３０】
下方領域１０１の上下方向（Ｙ方向）の幅Ｗ１は、左方領域１０３及び右方領域１０４の左右方向（Ｘ方向）の幅Ｗ２よりも広い。これにより、タッチパネル１７の縦横の比率に比べて、正面１１の縦横の比率が正方形に近づくので、無線通信端末１の重量バランスが安定し、ユーザによる持ち運び及び把持しながらの操作が容易になる。
【００３１】
筐体１０の内部の上面１５、左側面１３及び／又は右側面１４付近には、無線通信用のアンテナ（図示しない）が設けられてよい。アンテナは、例えば、Ｗｉ−Ｆｉ（登録商標）、Ｂｌｕｅｔｏｏｔｈ（登録商標）、ＬＴＥ（Long Term Evolution）、４Ｇ（第４世代移動通信システム）及び／又は５Ｇ（第５世代移動通信システム）に基づく無線通信に対応する。
【００３２】
＜カメラ＞
図３に示すように、筐体１０の背面１２には、カメラ２１が取り付けられる。例えば、カメラ２１は、正面１１の上端とタッチパネル１７の上端との間の領域（つまり上方領域１０２）に対向する背面１２の領域に取り付けられる。カメラ２１の光軸は、背面１２に対して垂直である。ユーザは、筐体１０の左右を両手で把持し、背面１２を撮影の対象物に向けることにより、カメラ２１で対象物を撮影できる。
【００３３】
＜第１のボタン＞
図２に示すように、筐体１０の正面１１には、少なくとも１つの第１のボタン２２が取り付けられる。図２では、６個の第１のボタン２２が取り付けられている。例えば、第１のボタン２２は、下方領域１０１に取り付けられる。第１のボタン２２のうちの１つ（例えば最も右の第１のボタン２２）は、無線通信端末１の電源をＯＮ／ＯＦＦするための電源キーであってよい。第１のボタン２２の形状は横長の長方形である。ただし、第１のボタン２２の形状は、長方形に限られず、例えば、正方形、円形又は楕円形であってもよい。
【００３４】
＜第２のボタン＞
図２に示すように、筐体１０の正面１１には、少なくとも１つの第２のボタン２３が取り付けられる。第２のボタン２３は、正面１１の左方領域１０３及び右方領域１０４のうちの少なくとも一方に取り付けられる。図２では、左方領域１０３及び右方領域１０４の両方に第２のボタン２３が取り付けられている。第２のボタン２３の形状は、縦長の長方形である。ただし、第２のボタン２３の形状は、縦長の長方形に限られず、例えば、横長の長方形、正方形、円形又は楕円形であってもよい。
【００３５】
第２のボタン２３のうちの少なくとも１つには、後述するバーコードリーダ３０（図８参照）を操作するための機能（例えばスキャン機能）が割り当てられてもよい。第２のボタン２３のうちの少なくとも１つには、カメラ２１を操作するための機能（例えばシャッター機能）が割り当てられてもよい。左方領域１０３及び右方領域１０４の両方の第２のボタン２３に対して、共通の機能が割り当てられてもよいし、左方領域１０３及び右方領域１０４のそれぞれの第２のボタン２３に対して、互いに異なる機能が割り当てられてもよい。第２のボタン２３に対する機能の割り当ては、ユーザが任意に設定できてもよい。
【００３６】
上述のとおり、筐体１０の正面１１に第２のボタン２３を取り付けることにより、ユーザは、無線通信端末１の筐体１０を左右から掴んだまま、親指で第２のボタン２３を押下できる。すなわち、無線通信端末１を両手で把持したままの操作性が向上する。
【００３７】
＜バッテリー収容空間＞
図３に示すように、無線通信端末１の筐体１０の内部には、バッテリーを収容するための２つのバッテリー収容空間２４Ａ、２４Ｂが、左右方向に並べて形成される。本開示では、２つのバッテリー収容空間２４Ａ、２４Ｂを包含して説明する場合、バッテリー収容空間２４と表現する。バッテリー収容空間２４は、背面１２の下端と中心線１０５との間の領域において、当該バッテリー収容空間２４の中心点１０８が、帯状領域１０７内に位置するように形成される。
【００３８】
このように、バッテリー収容空間２４を筐体１０の下方に形成することにより、バッテリー装着時における無線通信端末１の重量バランスが安定し、ユーザによる持ち運び及び把持しながらの操作が容易になる。
【００３９】
＜端子口＞
図４及び図５に示すように、筐体１０の左側面１３及び／又は右側面１４には、端子口２５が取り付けられる。端子口２５は、例えば、ＵＳＢ（Universal Serial Bus）デバイスが接続されるＵＳＢ端子口２５Ａ、電源ケーブルが接続される電源端子口２５Ｂ、オーディオケーブルが接続されるオーディオ端子口２５Ｃである。なお、端子口２５は、コネクタ、アダプタといった他の用語に読み替えられてもよい。
【００４０】
左側面１３の端子口２５のうちの１つは、左方領域１０３の第２のボタン２３の左隣に位置してよい。例えば、筐体１０の底面１６から左方領域１０３の第２のボタン２３の下端までの距離は、筐体１０の底面１６から左側面１３の端子口２５の下端までの距離と等しい。別言すると、左側面１３の端子口２５の下端は、左方領域１０３の第２のボタン２３の下端と揃っている。あるいは、筐体１０の底面１６から左方領域１０３の第２のボタン２３の下端までの距離は、筐体１０の底面１６から前記左側面１３の端子口２５の下端までの距離よりも短い。別言すると、左側面１３の端子口２５の下端は、左方領域１０３の第２のボタン２３の下端よりも上方である。
【００４１】
右側面１４の端子口２５のうちの１つは、右方領域１０４の第２のボタン２３の右隣に位置してよい。例えば、筐体１０の底面１６から右方領域１０４の第２のボタン２３の下端までの距離は、筐体１０の底面１６から右側面１４の端子口２５の下端までの距離と等しい。別言すると、右側面１４の端子口２５の下端は、右方領域１０４の第２のボタン２３の下端と揃っている。あるいは、筐体１０の底面１６から右方領域１０４の第２のボタン２３の下端までの距離は、筐体１０の底面１６から前記右側面１４の端子口２５の下端までの距離よりも短い。別言すると、右側面１４の端子口２５の下端は、右方領域１０４の第２のボタン２３の下端よりも上方である。
【００４２】
左側面１３及び／又は右側面１４の端子口２５と第２のボタン２３とをこのように配置することにより、端子口２５にケーブルが接続された状態であっても、ユーザは、無線通信端末１を左右から掴んだまま、端子口２５に接続されたケーブルに邪魔されることなく、親指で第２のボタン２３を押下できる。
【００４３】
＜バーコードリーダ＞
図８は、無線通信端末１にバーコードリーダ３０を装着した場合の例を示す斜視図である。
【００４４】
図８に示すように、無線通信端末１は、筐体１０の背面１２に、着脱可能なバーコードリーダ３０を装着できる。バーコードリーダ３０は、光線を照射するための照射口３１を有する。筐体１０の背面１２に取り付けられたバーコードリーダ３０の照射口３１は、上面１５と平行かつ上向きに開口する。すなわち、筐体１０の背面１２に取り付けられたバーコードリーダ３０は、上面１５に対して垂直かつ上向きの（Ｙ軸の正方向の）光線を照射する。
【００４５】
第２のボタン２３には、バーコードリーダ３０を操作する機能の一例である、バーコードのスキャン実行操作が割り当てられてよい。これにより、ユーザは、無線通信端末１の筐体１０を両手で掴んだまま、上面１５（つまり照射口３１）をバーコードに向けて、親指で第２のボタン２３を押下することにより、容易にバーコードをスキャンできる。
【００４６】
なお、バーコードリーダ３０は、コードリーダの一例であり、無線通信端末１の背面１２には、２次元コード又は文字コードを読み取るコードリーダが装着されてもよい。
【００４７】
（本開示のまとめ）
本開示の一態様に係る無線通信端末（１）は、偏平の箱型の筐体（１０）と、筐体の正面（１１）に取り付けられた、ディスプレイ（１７）、少なくとも１つの第１のボタン（２２）、及び、少なくとも１つの第２のボタン（２３）と、筐体の背面（１２）に取り付けられた、背面に対して垂直な光軸を有するカメラ（２１）とを含む。ディスプレイの形状は、上端及び下端の辺が左端及び右端の辺よりも長い長方形である。カメラの位置は、正面の上端とディスプレイの上端との間の領域である上方領域（１０２）に対向する背面の領域内である。正面の下端とディスプレイの下端との間の領域である下方領域（１０１）の上下方向の幅は、正面の左端とディスプレイの左端との間の領域である左方領域（１０３）の左右方向の幅、及び、正面の右端とディスプレイの右端との間の領域である右方領域（１０４）の左右方向の幅の何れよりも広い。第１のボタンの位置は、下方領域内である。第２のボタンの位置は、左方領域又は右方領域における、正面の中心点（１０６）を通り正面の上端又は下端の辺と並行な中心線（１０５）とディスプレイの上端の辺を延長した線との間の領域内である。この構成によれば、無線通信端末を左右から掴んだ場合、親指の近くに第２のボタンが位置するので、両手で把持された場合の無線通信端末の操作性が向上する。また、正面の下端とディスプレイの下端との間の領域である下方領域の上下方向の幅は、正面の左端とディスプレイの左端との間の領域である左方領域の左右方向の幅、及び、正面の右端とディスプレイの右端との間の領域である右方領域の左右方向の幅の何れよりも広いので、正面の形状が正方形に近づき、無線通信端末の重量バランスが安定する。
【００４８】
筐体（１０）の上面（１５）、左側面（１３）及び右側面（１４）にはボタンが存在しなくてもよい。第１のボタンのうちの１つは電源ボタンであってもよい。
【００４９】
無線通信端末（１）は、筐体（１０）の背面（１２）に取り付けられた、筐体の上面（１５）に垂直な上向きの光線を照射するコードリーダ（３０）をさらに含んでよい。そして、第２のボタン（２３）に対して、コードリーダ（３０）を操作するための機能が割り当てられてよい。この構成によれば、無線通信端末を左右から掴み、筐体の上面をコードに向けて、第２のボタンを操作することにより、コードリーダで簡単にコードをスキャンできる。
【００５０】
無線通信端末（１）は、筐体（１０）の内部に形成された、バッテリーを収容するためのバッテリー収容空間（２４）をさらに含んでよい。そして、バッテリー収容空間の位置は、背面（１２）の下端と中心線（１０５）との間の領域内であり、バッテリー収容空間の中心点（１０８）は、正面（１１）の中心点（１０６）を含みかつ左右方向に広がる幅２ｃｍの帯状領域（１０７）内であってよい。この構成によれば、重量の大きいバッテリーが筐体の底面（１６）付近の中央に取り付けられるので、無線通信端末を左右から掴んだ場合の重量バランスが安定する。
【００５１】
第２のボタン（２３）は、左方領域（１０３）及び右方領域（１０４）の両方に取り付けられてよい。そして、左方領域の第２のボタン及び右方領域の第２のボタンに対して、共通の機能が割り当てられてよい。この構成によれば、無線通信端末を左右から掴んだ場合に、左手親指及び右手親指の何れからも共通の機能を呼び出すことができる。
【００５２】
無線通信端末（１）は、筐体（１０）の左側面（１３）に取り付けられた端子口（２５）をさらに含んでよい。そして、筐体の底面（１６）から左方領域（１０３）の第２のボタン（２３）の下端までの距離は、筐体の底面から左側面の端子口の下端までの距離に対して等しい又は短くてよい。無線通信端末（１）は、筐体（１０）の右側面（１４）に取り付けられた端子口（２５）をさらに含んでよい。そして、筐体の底面（１６）から右方領域（１０４）の第２のボタン（２３）の下端までの距離は、筐体の底面から前記右側面の端子口の下端までの距離に対して等しい又は短くてよい。この構成によれば、端子口にケーブルが接続された状態であっても、ユーザは、無線通信端末を左右から掴んだまま、端子口に接続されたケーブルに邪魔されることなく、親指で第２のボタンを押下できる。
【００５３】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【産業上の利用可能性】
【００５４】
本開示は、把持した状態での操作性向上を望む電子機器に有用である。
【符号の説明】
【００５５】
１  無線通信端末
１０  筐体
１１  正面
１２  背面
１３  左側面
１４  右側面
１５  上面
１６  底面
１７  タッチパネル
２１  カメラ
２２  第１のボタン
２３  第２のボタン
２４、２４Ａ、２４Ｂ  バッテリー収容空間
２５  端子口
２５Ａ  ＵＳＢ端子口
２５Ｂ  電源端子口
２５Ｃ  オーディオ端子口
３０  バーコードリーダ
３１  照射口
１０１  下方領域
１０２  上方領域
１０３  左方領域
１０４  右方領域
１０５  中心線
１０６  正面の中心点
１０７  帯状領域
１０８  バッテリー収容空間の中心点
【要約】
【課題】両手で把持された場合における無線通信端末の操作性を高める。
【解決手段】無線通信端末は、偏平の箱型の筐体と、筐体の正面に取り付けられたディスプレイ、第１のボタン及び第２のボタンとを含み、ディスプレイの形状は、上端及び下端の辺が左端及び右端の辺よりも長い長方形であり、正面の下端とディスプレイの下端との間の領域である下方領域の上下方向の幅は、正面の左端とディスプレイの左端との間の領域である左方領域、及び、正面の右端とディスプレイの右端との間の領域である右方領域の左右方向の幅よりも広く、第１のボタンの位置は、下方領域内であり、第２のボタンの位置は、左方領域又は右方領域における、正面の中心点を通り正面の上端又は下端の辺と並行な中心線とディスプレイの上端の辺を延長した線との間の領域内である。
【選択図】図１【図１】
0006748881.tif 000002
【図２】
0006748881.tif 000003
【図３】
0006748881.tif 000004
【図４】
0006748881.tif 000005
【図５】
0006748881.tif 000006
【図６】
0006748881.tif 000007
【図７】
0006748881.tif 000008
【図８】
0006748881.tif 000009